(57)【要約】      （修正有）【課題】停電により停止しても、混合対象物を確実に設定時間の撹拌混合を可能にした容器回転型混合機を提供する。【解決手段】機台１の前面に設けた操作パネル１０に、タイマー表示部１１、複数個のスイッチ１２、１３、１５、１６及び複数個のランプ１７、１８、１９を有し、稼働中に電源ＯＦＦ後に電源ＯＮになった状態を、タイマー表示部１１と複数個のランプ１７、１８、１９の点灯、消灯、点滅の組み合わせで確認可能にし、且つ電源ＯＦＦ時の残り時間を記憶可能にして、電源ＯＮ時に記憶した残り時間からカウントダウンを再開可能にすることで、電源ＯＦＦが発生しても、設定した時間確実に撹拌させることを可能にする。【選択図】図１
0003216847.tif 000002
【実用新案登録請求の範囲】
【請求項１】
混合対象物を収容する容器を、機台上に設けた正逆回転可能なターンテーブル上に載置し、パドルの一端を前記機台上に固定し、他端を前記容器内の混合対象物に浸漬させ、前記ターンテーブルを前記機台に内蔵されたモーターにより駆動する混合機であって、
前記機台の前面に設けた操作パネルに、タイマー表示部、複数個のスイッチ及び複数個のランプを有し、稼働中の電源ＯＦＦ後に電源ＯＮになった状態を、前記タイマー表示部と前記複数個のランプの点灯、消灯、点滅の組み合わせで確認可能にし、且つ電源ＯＦＦ時の残り時間を記憶可能にして、電源ＯＮ時に記憶した残り時間からカウントダウンを再開可能にしたことを特徴とする容器回転型混合機。
【考案の詳細な説明】
【技術分野】
【０００１】
本考案は、停電により停止しても、混合対象物を確実に設定時間撹拌混合可能にした容器回転型混合機に関する。
【背景技術】
【０００２】
従来、かかる容器回転型混合機にあっては、混合対象物を収容する有底円筒状の容器を載置する、機台上に設けたターンテーブルと、一端を前記機台に固定し、他端を前記ターンテーブル上の前記容器内の混合対象物に浸漬させるパドルとを備え、前記ターンテーブルに載置状態の前記容器内に混合対象物に前記パドルを浸漬した状態で、混合対象物を前記容器と共に回転させながら、前記パドルにより混合対象物を攪拌混合可能にしている（例えば、特許文献１、２参照）。
【先行技術文献】
【特許文献】
【０００３】
【特許文献１】特開平１１−２６２６４８号公報
【特許文献２】特開２００６−２０４９８０号公報
【考案の概要】
【考案が解決しようとする課題】
【０００４】
しかし、上記従来技術にあっては、ターンテーブルの駆動源となるモーター用の電源が必要で、この電源に電源コードを背湯属して使用することになるが、この電源が建築現場の仮電源だったり、ポータブル発電機になるため、多くの作業員が行き交う現場では、作業員が電源コードに足を引っかけて、電源コードが電源から外れてしまったり、特に後者の場合、燃料切れでポータブル発電機自体が停止してしまうことで、混合機のターンテーブルが停止してしまうが、タイマーがゼンマイ式で、停電中でも進行してしまうため、停電により設定時間撹拌されていない状態の混合対象物が使用されてしまう危険性を否定出来ないなど、解決せねばならない課題があった。
【課題を解決するための手段】
【０００５】
本考案は、上記従来技術に基づく、ゼンマイ式タイマーでは電源ＯＦＦ下でもカウントダウンが進行してしまう課題に鑑み、混合対象物を収容する容器を、機台上に設けた正逆回転可能なターンテーブル上に載置し、パドルの一端を前記機台上に固定し、他端を前記容器内の混合対象物に浸漬させ、前記ターンテーブルを前記機台に内蔵されたモーターにより駆動する混合機であって、  前記機台の前面に設けた操作パネルに、タイマー表示部、複数個のスイッチ及び複数個のランプを有し、稼働中の電源ＯＦＦ後に電源ＯＮになった状態を、前記タイマー表示部と前記複数個のランプの点灯、消灯、点滅の組み合わせで確認可能にし、且つ電源ＯＦＦ時の残り時間を記憶可能にして、電源ＯＮ時に記憶した残り時間からカウントダウンを再開可能にすることによって、例え電源ＯＦＦが発生しても、設定した時間確実に撹拌させることを可能にして、上記課題を解決する。
【考案の効果】
【０００６】
要するに本考案は、混合対象物を収容する容器を、機台上に設けた正逆回転可能なターンテーブル上に載置し、パドルの一端を前記機台上に固定し、他端を前記容器内の混合対象物に浸漬させ、前記ターンテーブルを前記機台に内蔵されたモーターにより駆動する混合機であって、前記機台の前面に設けた操作パネルに、タイマー表示部、複数個のスイッチ及び複数個のランプを有し、稼働中の電源ＯＦＦ後に電源ＯＮになった状態を、前記タイマー表示部と前記複数個のランプの点灯、消灯、点滅の組み合わせで確認可能にし、且つ電源ＯＦＦ時の残り時間を記憶可能にして、電源ＯＮ時に記憶した残り時間からカウントダウンを再開可能にしているので、電源ＯＮ時における状態が一目瞭然になるため、実行すべき操作を間違いなく行うことが出来、特に稼働中に電源ＯＦＦになっても、電源ＯＮ時に稼働中に電源ＯＦＦになったことが操作パネルに表示されることから、該操作パネルの操作により撹拌を再開出来るため、設定した時間確実に撹拌させることが出来、よって撹拌未了の混合対象物の使用を確実に防止することが出来る。
而も、ゼンマイ式タイマーでは、ダイアル式で回転角度により撹拌時間を設定することから不正確であるが、本願考案はデジタル式タイマーで目視確認可能なため、過不足の無い正確な撹拌時間を設定することが出来る等その実用的効果甚だ大である。
【図面の簡単な説明】
【０００７】
【図１】本考案に係る容器回転型混合機の正面図である。
【図２】図１の平面図である。
【図３】非通電状態の操作パネルの正面図である。
【図４】状態１の操作パネルの正面図である。
【図５】状態２の操作パネルの正面図である。
【図６】状態３の操作パネルの正面図である。
【図７】状態４の操作パネルの正面図である。
【図８】状態５の操作パネルの正面図である。
【図９】状態６の操作パネルの正面図である。
【図１０】状態７の操作パネルの正面図である。
【図１１】状態８の操作パネルの正面図である。
【図１２】状態９の操作パネルの正面図である。
【図１３】状態１０の操作パネルの正面図である。
【図１４】撹拌過程を示すフロー図である。
【図１５】状態３からの復帰過程を示すフロー図である。
【図１６】状態７からの復帰過程を示すフロー図である。
【図１７】予約過程を示すフロー図である。
【図１８】初期設定値変更過程を示すフロー図である。
【考案を実施するための形態】
【０００８】
本考案に係る容器回転型混合機を図面に基づき説明する。
本考案に係る容器回転型混合機は、混合対象物Ｗを収容する有底円筒状の容器Ａを載置する、機台１の上面一側部位に設けた正逆回転可能なターンテーブル２と、一端を機台１の上面他側部位に固定し、他端をターンテーブル２上の容器内の混合対象物Ｗに浸漬させる２種類のパドル３、3aとを備え、機台１上部は、一側部位が平坦面４で、他側部位に山状部位５を形成し、該山状部位５の頂部にパドル３の差込孔６を形成している。
【０００９】
ターンテーブル２は、機台１に内蔵されたモーター７により駆動し、容器Ａのホルダー８を有しており、モーター７はコントローラー7aにより所定インターバルを挟んで所定時間正逆回転駆動させる様に制御可能としている。
【００１０】
機台１の前面に操作パネル10を設け、該操作パネル10は、入力及び表示機能を有し、タイマー表示部11と、該タイマー表示部11の一側方に配したスタートスイッチ12と、タイマー表示部11の他側方に配したＵＰスイッチ13及びＤＯＷＮスイッチ14と、タイマー表示部11の下方に配した撹拌スイッチ15及び予約スイッチ16と、スタートスイッチ12の下方に配した状況確認ランプ17とを有し、撹拌スイッチ15及び予約スイッチ16は上隅にランプ18、19を有している。
【００１１】
そして、撹拌中の停電により撹拌時間のカウントダウンは停止するが残り時間を記憶させることで、電源ＯＮにより操作パネル10におけるタイマー表示部11に停電直前の残り時間を点滅表示可能にし、スタートスイッチ12により撹拌を再開可能にすることで、撹拌時間不足の発生が完全に防止される。
【００１２】
又、操作パネル10からモーター７のコントローラー7aへの入力信号により、起動／停止、各種初期値の変更を実行可能にし、具体的には、スタートスイッチ12、ＵＰスイッチ13、ＤＯＷＮスイッチ14、撹拌スイッチ15及び予約スイッチ16の内、所定の複数個を選択して同時に押すことで、撹拌時間、正逆回転時間及びインターバルの初期設定値を変更可能な状態にすることを可能にしている。
【００１３】
タイマー表示部11は、図面上、ａ〜ｇ及びｄｐの計８個のセグメントで構成された３個の７セグメントＬＥＤ20、20a 、20b を有する７セグメント３桁ディスプレイとしているが、４桁以上であっても良く、而も複数個の７セグメントＬＥＤでなく、例えば液晶ディスプレーなど、要するに時間表示可能であれば何でも良い。
。
【００１４】
通電中の操作パネル10の基本的な表示形態は、下記の状態１〜１０である。
状態１：撹拌スタンバイ（図４参照）
状態２：撹拌動作中（図５参照）
状態３：撹拌一時停止中（図６参照）
状態４：撹拌終了（図７参照）
状態５：予約スタンバイ（図８参照）
状態６：予約動作中（図９参照）
状態７：予約一時停止中（図１０参照）
状態８：正反転時間の初期設定値変更中（図１１参照）
状態９：インターバルの初期設定値変更中（図１２参照）
状態１０：撹拌時間の初期設定値変更中（図１３参照）
【００１５】
尚、図面上、状況確認ランプ17、撹拌スイッチ15及び予約スイッチ16のランプ18、19、各７セグメントＬＥＤ20、20a 、20b のａ〜ｇ、ｄｐセグメントにおいて、塗りつぶし部位は「点灯」を表し、ハッチング部位は「点滅」を表している。
【００１６】
『状態１』は、
“電源投入時（停電復帰以外）”
“状態４でのスタートスイッチ12又は撹拌スイッチ15の短押し時”
“状態３、７でのスタートスイッチ12の長押し時”
“状態８〜１０からのキャンセル時”
の何れかの状態であり、
タイマー表示部11は、下２桁の７セグメントＬＥＤ20a 、20b で設定撹拌時間を表示し、下１桁の７セグメントＬＥＤ20b のセグメントｄｐは点灯し、上１桁の７セグメントＬＥＤ20の下半分４つのセグメントｃ、ｄ、ｅ、ｇが点灯し、状況確認ランプ17は消灯、撹拌スイッチランプ18は点灯、予約スイッチランプ19は消灯している。
必要に応じて、ＵＰスイッチ13及びＤＯＷＮスイッチ14で撹拌動作時間を変更可能にしている。
【００１７】
『状態２』は、
“状態１、３でのスタートスイッチ12の短押し時”
“状態６でのカウントアップ時”
の何れかの状態であり、
タイマー表示部11は、下２桁の７セグメントＬＥＤ20a 、20b を使ってカウントダウンし、残り時間表示が「Ｎ」の場合、実際の残り時間Ｎ0 は「Ｎ≧Ｎ0  ＞（Ｎ−１）」とし、下１桁の７セグメントＬＥＤ20b のセグメントｄｐは１秒間隔で点滅し、上１桁の７セグメントＬＥＤ20の下半分４つのセグメントｃ、ｄ、ｅ、ｇを（ｃ、ｄ、ｅ、ｇ）の順で０．２５秒の間隔で０．２５秒点灯させることを繰り返して正回転表示し、（ｇ、ｅ、ｄ、ｃ）の順で０．２５秒の間隔で０．２５秒点灯させることを繰り返して逆回転表示し、状況確認ランプ17は点灯、撹拌スイッチランプ18は点灯、予約スイッチランプ19は消灯している。
【００１８】
『状態３』は、
“状態２でのスタートスイッチ12の短押し時”
“状態２、３からの停電復帰時”
の何れかの状態であり、
タイマー表示部11は、下２桁の７セグメントＬＥＤ20a 、20b を使って残り時間表示「Ｎ」が点滅し、下１桁の７セグメントＬＥＤ20b のセグメントｄｐは消灯し、上１桁の７セグメントＬＥＤ20の下半分４つのセグメントｃ、ｄ、ｅ、ｇが同時点滅し、状態確認ランプ17は消灯し、撹拌スイッチランプ18は点灯し、予約スイッチランプ19は消灯する。
必要に応じて、ＵＰスイッチ13及びＤＯＷＮスイッチ14で撹拌動作時間を変更可能にし、スタートスイッチ12の長押しで状態１に戻すことも可能にしている。
【００１９】
『状態４』は、
“状態２でのカウントアップ時”
の状態であり、
タイマー表示部11は、３個の７セグメントＬＥＤ20、20a 、20b を使って「Ｅｎｄ」と表示し、下１桁の７セグメントＬＥＤ20b のセグメントｄｐは消灯し、状態確認ランプ17は点滅し、撹拌スイッチランプ18は消灯し、予約スイッチランプ19は消灯する。
【００２０】
『状態５』は、
“状態１、４での予約スイッチ16の短押し時”
の状態であり、
タイマー表示部11は、下１桁の７セグメントＬＥＤ20b を使って「０」を表示しセグメントｄｐは消灯し、ＵＰスイッチ13及びＤＯＷＮスイッチ14で予約時間を変更して、所定桁数の７セグメントＬＥＤ20、20a 、20b を所望数字に点灯させ、状態確認ランプ17は消灯し、撹拌スイッチランプ18は消灯し、予約スイッチランプ19は点灯する。
【００２１】
『状態６』は、
“状態５、７でのスタートスイッチ12の短押し時”
の状態であり、
タイマー表示部11は、７セグメントＬＥＤ20、20a 、20b を使ってカウントダウンし、残り時間表示が「Ｎ」の場合、実際の残り時間Ｎ0 は「Ｎ≧Ｎ0  ＞（Ｎ−１）」とし、下１桁の７セグメントＬＥＤ20b のセグメントｄｐは１秒間隔で点滅し、状態確認ランプ17は点滅し、撹拌スイッチランプ18は消灯し、予約スイッチランプ19は点灯している。
【００２２】
『状態７』は、
“状態６でのスタートスイッチ12の短押し時”
“状態６での停電からの復帰時”
の何れかの状態であり、
タイマー表示部11は、３桁の７セグメントＬＥＤ20、20a 、20b を使って残り時間表示「Ｍ」が点滅し、下１桁の７セグメントＬＥＤ20b のセグメントｄｐは消灯し、状態確認ランプ17は消灯し、撹拌スイッチランプ18は消灯し、予約スイッチランプ19は点灯している。
必要に応じて、ＵＰスイッチ13及びＤＯＷＮスイッチ14で予約残時間を変更可能にし、スタートスイッチ12の長押しで状態１に戻すことも可能にしている。
【００２３】
『状態８』は、
“状態１、５での予約スイッチ16とＵＰスイッチ13及びＤＯＷＮスイッチ14の長押し時”の状態であり、
タイマー表示部11は、３桁の７セグメントＬＥＤ20、20a 、20b を使って表示された設定値が点滅し、下１桁の７セグメントＬＥＤ20b のセグメントｄｐは消灯し、状態確認ランプ17は消灯し、撹拌スイッチランプ18は消灯し、予約スイッチランプ19は点滅する。
そして、ＵＰスイッチ13及びＤＯＷＮスイッチ14で正逆回転時間の初期設定値を変更した後、スタートスイッチ12の長押しで確定して状態１へ移行する。
【００２４】
『状態９』は、
“状態１、５での撹拌スイッチ15とＵＰスイッチ13及びＤＯＷＮスイッチ14の長押し時”の状態であり、
タイマー表示部11は、３桁の７セグメントＬＥＤ20、20a 、20b を使って表示された設定値が点滅し、下１桁の７セグメントＬＥＤ20b のセグメントｄｐは消灯し、状態確認ランプ17は消灯し、撹拌スイッチランプ18は点滅し、予約スイッチランプ19は消灯している。
そして、ＵＰスイッチ13及びＤＯＷＮスイッチ14で正逆回転間のインターバルの初期設定値を変更した後、スタートスイッチ12の長押しで確定して状態１へ移行する。
【００２５】
『状態１０』は、
“状態１、５での撹拌スイッチ15と予約スイッチ16とＵＰスイッチ13及びＤＯＷＮスイッチ14の長押し時”
の状態であり、
タイマー表示部11は、下２桁の７セグメントＬＥＤ20a 、20b を使って表示された設定値が点滅し、下１桁の７セグメントＬＥＤ20b のセグメントｄｐは消灯し、状態確認ランプ17は消灯し、撹拌スイッチランプ18及び予約スイッチランプ19は点滅する。
そして、ＵＰスイッチ13及びＤＯＷＮスイッチ14で撹拌動作時間の初期設定値を変更した後、スタートスイッチ12の長押しで確定して状態１へ移行する。
【００２６】
尚、『状態８』〜『状態１０』において、スタートスイッチ12、撹拌スイッチ15又は予約スイッチ16の短押し、或いは電源ＯＦＦで、初期設定値変更をキャンセル可能にしている。
【００２７】
図１４に示す撹拌過程について説明すると、基本的には、電源ＯＮにして『状態１』にし、スタートスイッチ12を短押しして『状態２』にし、撹拌が開始し、カウントアップにより『状態４』になって撹拌が終了する。
【００２８】
図１５、１６に示す状態３、７からの復帰過程について説明すると、基本的には、スタートスイッチ12の短押しにより『状態２』又は『状態６』に戻してカウントダウンが再開される。
【００２９】
図１７に示す予約過程について説明すると、基本的には、『状態１』で予約スイッチ16を短押しして『状態５』にし、ＵＰスイッチ13及びＤＯＷＮスイッチ14により所定時間に設定した後、スタートスイッチ12の短押しにより『状態６』にして、カウントダウンが開始し、カウントアップにより『状態２』になって撹拌が開始する。
【００３０】
図１８に示す初期設定値変更過程について説明すると、基本的には、『状態１』で予約スイッチ16とＵＰスイッチ13及びＤＯＷＮスイッチ14の同時長押しにより『状態８』に、撹拌スイッチ15とＵＰスイッチ13及びＤＯＷＮスイッチ14の同時長押しにより『状態９』に、撹拌スイッチ15と予約スイッチ16とＵＰスイッチ13及びＤＯＷＮスイッチ14の同時長押しにより『状態１０』にし、ＵＰスイッチ13及びＤＯＷＮスイッチ14により所定時間に変更した後、スタートスイッチ12の長押しにより『状態１』に移行する。
【００３１】
尚、図１４〜１８における、〔００２７〕〜〔００３０〕で説明した過程以外の事項については、『状態１』〜『状態１０』で説明しているので、省略する。
【符号の説明】
【００３２】
１      機台
２      ターンテーブル
３、3a  パドル
７      モーター
10      操作パネル
11      タイマー表示部
12      スタートスイッチ
13      ＵＰスイッチ
14      ＤＯＷＮスイッチ
15      撹拌スイッチ
16      予約スイッチ
17      状況確認ランプ
18      撹拌ランプ
19      予約ランプ
Ａ      容器
Ｗ      混合対象物
【図１】
0003216847.tif 000003
【図２】
0003216847.tif 000004
【図３】
0003216847.tif 000005
【図４】
0003216847.tif 000006
【図５】
0003216847.tif 000007
【図６】
0003216847.tif 000008
【図７】
0003216847.tif 000009
【図８】
0003216847.tif 000010
【図９】
0003216847.tif 000011
【図１０】
0003216847.tif 000012
【図１１】
0003216847.tif 000013
【図１２】
0003216847.tif 000014
【図１３】
0003216847.tif 000015
【図１４】
0003216847.tif 000016
【図１５】
0003216847.tif 000017
【図１６】
0003216847.tif 000018
【図１７】
0003216847.tif 000019
【図１８】
0003216847.tif 000020